(57)【要約】【課題】足の自由な屈曲を妨げにくく、かつ、足の横振れを抑制し得るアスレチックシューズを提供する。【解決手段】スタビライザー３はアウターソール１の第１上面１ｕとミッドソール２の第２下面２ｄとの間で挟まれる基板部３０と、靴の側面に沿って基板部３０から上方に巻き上がる巻上部３１とが非発泡体の樹脂板で一体に形成されている。アウターソール１の第１上面１ｕは第１凹凸面１０を有し、複数の溝および突条が交互に設けられている。ミッドソール２は第２凹凸面２０を有し、第２凹凸面２０は第１凹凸面１０に相当する真上の位置に、第１凹凸面１０に応じた凹凸を持っており、スタビライザー３の基板部３０は、第１凹凸面１０および第２凹凸面２０に沿った波形に形成されている。【選択図】図２
2007135824.tif 000002
【特許請求の範囲】
【請求項１】
横振れ抑制機能を備えた靴であって、
着地時に接地する接地面を持つ第１下面と、前記第１下面とは逆の第１上面とを有するアウターソールと；
前記アウターソールの上方に配置されると共に第２下面を有するミッドソールと；
足の横振れを抑制するスタビライザーとを備え、
前記スタビライザーは足の外側または内側から足の幅方向の中央に向かって延びる領域において前記アウターソールの第１上面と前記ミッドソールの第２下面との間で挟まれる基板部と、靴の側面に沿って前記基板部から上方に巻き上がる巻上部とが非発泡体の樹脂板で一体に形成されており、ここにおいて、
前記アウターソールの第１上面は第１凹凸面を有し、前記第１凹凸面は足の幅方向に延びる複数の溝および突条が足の前後方向に交互に設けられて形成されており、
前記ミッドソールの第２下面は第２凹凸面を有し、前記第２凹凸面は前記第１凹凸面に相当する真上の位置に、前記第１凹凸面に応じた凹凸を持っており、
前記スタビライザーの基板部は、前記第１凹凸面および第２凹凸面に沿った波形に形成されている靴。
【請求項２】
請求項１において、前記スタビライザーの基板部は、足の幅方向の概ね全幅において波形に形成されている靴。
【請求項３】
請求項１において、前記基板部は前記アウターソールの前記溝に沿って配置された下板部と、前記アウターソールの前記突条に沿って配置された上板部と、前記下板部と上板部とを連ねる立上板部とが一体に成形されて前記第１凹凸面および第２凹凸面に沿った前記波形に形成されている靴。
【請求項４】
請求項３において、前記上板部の真上に配置された前記ミッドソールの部分の厚さは、前記下板部の真上に配置された前記ミッドソールの部分の厚さに比べ小さく、かつ、前記上板部の真下に配置された前記アウターソールの部分の厚さは、前記下板部の真下に配置された前記アウターソールの部分の厚さに比べ小さい靴。
【請求項５】
請求項１において、前記巻上部は足の前後方向の前端と、足の前後方向の後端と、前記前端と後端との間において上方に突出する頂部とを有し、
少なくとも前記前端と後端との間において前記基板部が前記波形に形成されている靴。
【請求項６】
請求項３において、前記巻上部は足の前後方向の前端と、足の前後方向の後端と、前記前端と後端との間において上方に突出する頂部とを有し、これにより、前記巻上部が前記頂部、前端および後端を連ねた略三角形状に形成され、
少なくとも前記前端の近傍および前記後端の近傍に前記上板部が配置されている靴。
【請求項７】
請求項６において、前記前端および後端の位置は前記頂部の位置よりも足の幅方向の中央側に配置されている靴。
【請求項８】
請求項６において、前記頂部と前記前端とを連ねた第１斜辺部に沿った第１強化突条と、前記頂部と前記後端とを連ねた第２斜辺部に沿った第２強化突条とを更に備えた靴。
【請求項９】
請求項１において、前記基板部は、少なくとも、足の第５指の中足骨骨頭および基節骨の概ね全体を下方から覆い、前記巻上部は、少なくとも、足の第５指の中足骨骨頭を足の外側から覆う靴。
【請求項１０】
横振れ抑制機能を備えた靴であって、
着地時に接地する接地面を持つ第１下面と、前記第１下面とは逆の第１上面とを有するアウターソールと；
前記アウターソールの上方に配置されると共に第２下面を有するミッドソールと；
足の横振れを抑制するスタビライザーとを備え、
前記スタビライザーは足の外側または内側から足の幅方向の中央に向かって延びる領域において前記アウターソールの第１上面と前記ミッドソールの第２下面との間で挟まれる基板部と、靴の側面に沿って前記基板部から上方に巻き上がる巻上部とが非発泡体の樹脂板で一体に形成されて、横断面において略Ｌ字状であり、ここにおいて、
前記巻上部は足の前後方向の前端と、足の前後方向の後端と、前記前端と後端との間において上方に突出する頂部とを有し、これにより、前記巻上部が前記頂部、前端および後端を連ねた略三角形状に形成され、
前記頂部の下方における前記巻上部において、上方に行くに従い足の幅方向の中央に向かうように傾斜した傾斜板部が前記巻上部に設けられた靴。
【請求項１１】
請求項１０において、前記傾斜板部は下方に行くに従い曲率が小さいテーパ円筒状に湾曲しており、前記テーパ円筒状の傾斜板部の頂点が前記頂部の概ね真下か、あるいは、前記頂部に位置している靴。
【請求項１２】
請求項１１において、前記ミッドソールは足の側面に沿って上方に巻き上がる巻上部を有し、前記ミッドソールの巻上部は前記テーパ円筒状の傾斜板部に相当する位置に前記テーパ円筒状の傾斜板部に応じて膨らんだ膨出面を持つ靴。
【請求項１３】
請求項１０において、前記基板部は、少なくとも、足の第５指の中足骨骨頭および基節骨の概ね全体を下方から覆い、前記巻上部は、少なくとも、足の第５指の中足骨骨頭を外側から覆う靴。
【請求項１４】
横振れ抑制機能を備えた靴であって、
着地時に接地する接地面を持つ第１下面と、前記第１下面とは逆の第１上面とを有するアウターソールと；
前記アウターソールの上方に配置されると共に第２下面を有するミッドソールと；
前記ミッドソールの第２下面に沿って設けられ足の踏まず部を覆う強化プレートと；
足の横振れを抑制するスタビライザーとを備え、
前記スタビライザーは足の外側または内側から足の幅方向の中央に向かって延びる領域において前記アウターソールの第１上面と前記ミッドソールの第２下面との間で挟まれる基板部と、靴の側面に沿って前記基板部から上方に巻き上がる巻上部とが非発泡体の樹脂板で一体に形成されて、横断面において略Ｌ字状であり、ここにおいて、
前記強化プレートは前記足の踏まず部から足の内側に沿って母指球に向って延び、
前記スタビライザーの基板部は第５指の少なくとも基節骨の概ね全体を下方から覆うように足の外側に沿って延びていると共に前記踏まず部の一部を覆う後端部を有し、
前記スタビライザーの基板部の後端部が前記踏まず部において前記強化プレートの一部に重なっている靴。
【請求項１５】
請求項１４において、前記強化プレートは前記ミッドソールの第２下面に一体に成形され、前記スタビライザーは前記ミッドソールの第２下面に接着剤を介して接着されている靴。
【請求項１６】
請求項１４において、前記強化プレートは足の踵の一部を覆う位置まで後方に延びている靴。
【請求項１７】
横振れ抑制機能を備えた靴であって、
着地時に接地する接地面を持つ第１下面と、前記第１下面とは逆の第１上面とを有するアウターソールと；
前記アウターソールの上方に配置されると共に第２下面を有するミッドソールと；
足の横振れを抑制するスタビライザーとを備え、
前記スタビライザーは足の外側または内側から足の幅方向の中央に向かって延びる領域において前記アウターソールの第１上面と前記ミッドソールの第２下面との間で挟まれる基板部と、靴の側面に沿って前記基板部から上方に巻き上がる巻上部とが非発泡体の樹脂板で一体に形成されており、ここにおいて、
前記スタビライザーの基板部は、足長方向に沿った断面において波形に形成されている靴。
【発明の詳細な説明】
【技術分野】
【０００１】
本発明は、横振れを抑制する機能を備えたシューズに関し、特に横振れが生じ易いコート競技などの用途に好適なアスレチックシューズに関する。
【背景技術】
【０００２】
バスケットボールなどのコート競技においては、走行中に急に方向を変えたり、停止したりする動作や、横方向ないし斜横方向へのフットワークが生じ易い。かかるフットワーク時には、靴の中で足が内外にズレようとする横振れが生じ易い。安定したフットワークを実現するためには、かかる横振れを抑制する必要がある。
その一方で、運動時には足の自由な屈曲を妨げないようにすることが重要である。特に、ＭＰ関節における足の屈曲を妨げないようにすることは重要である。
【０００３】
下記の特許文献１〜５には、前記横振れの抑制し得る靴底が開示されている。
【特許文献１】U.S.P. 6,497,058 B2 (ABSTRACT)
【特許文献２】特開２００１−２８６３０２号公報  （要約）
【特許文献３】特開平３−８５１０２号公報  （第１図〜第３図）
【特許文献４】特開平７−８３０４号公報  （要約）
【特許文献５】特開２００１−２９１１０号公報  （図４）
【特許文献６】実公昭６２−２７１２５号公報  （第２図および第３図）
【０００４】
U.S.P. 6,497,058 B2 には、基部要素から立ち上がる複数の支持要素が開示されている。足の踏まず部において、基部要素はアーチ状部を備えている。足の前足部において、基部要素は複数個の切り欠きを備えている。
【０００５】
特開２００１−２８６３０２号には、足首捻挫防止靴が開示されている。この靴は断面Ｌ字状の捻挫防止部材を備える。この部材は足のくるぶしを覆う。
【０００６】
特開平３−８５１０２号には、ゴム製で、かつ、断面Ｌ字状のスタビライザーが開示されている。このスタビライザーは、下側部が外方に突出している。
【０００７】
特開平７−８３０４号には、横振れ防止補強部材が開示されている。この部材はアウターソールとミッドソールとの間に挟まれた部材から巻き上がる巻上部を有している。
【０００８】
特開２００１−２９１１０号には、踏まず部に強化装置を備えたものが開示されている。強化装置は窓枠状に形成されている。
【０００９】
実公昭６２−２７１２５号のミッドソールは、足の外側に硬度の大きい領域が設けられている。
【００１０】
断面がＬ字状のスタビライザーは、足の横振れの抑制に役立つだろう。その一方で、断面がＬ字状のスタビライザーは、足の屈曲時の曲げ剛性が大きいから、運動時の足の自由な屈曲を妨げることになるだろう。
【００１１】
したがって、本発明の主目的は、足の自由な屈曲を妨げにくく、かつ、足の横振れを抑制し得るアスレチックシューズを提供することである。
【００１２】
足の横振れの抑制機能を高めるためには、スタビライザーの巻上部を高くすることが重要である。しかし、巻上部を高くすると、巻上部に対し足の外側への力が負荷された時に、巻上部が足の外側に倒れ易くなる。そのため、横振れ抑制の機能が高まりにくい。
【００１３】
したがって、本発明の別の目的は、スタビライザーの巻上部を倒れにくくすることで、横振れ抑制の機能を高めることである。
【００１４】
一般に、スタビライザーは、アウターソールやミッドソールよりも硬い材料で形成される。そのため、スタビライザーの部分において、ソールが屈曲しにくくなる。一方、硬い材料からなるスタビライザーの直前方や直後方において、応力の集中が生じ易く、ソールが屈曲し易くなる。このようなソールの屈曲し易さの偏りは、足の自由な屈曲を妨げる。
【００１５】
一方、ソールの前足から後足にわたって長く設けたスタビライザーは、ソールの屈曲し易さの偏りが生じにくい。しかし、スタビライザーはインジェクションで作られるので、スタビライザーが大型化すると、ソールのコストが大幅に増大する。
【００１６】
したがって、本発明の更に別の目的は、コストアップを抑制しつつ、スタビライザーによるソールの屈曲し易さの偏りを抑制することである。
【発明の開示】
【００１７】
本発明のある靴は、横振れ抑制機能を備えた靴であって、着地時に接地する接地面を持つ第１下面と、前記第１下面とは逆の第１上面とを有するアウターソールと；前記アウターソールの上方に配置されると共に第２下面を有するミッドソールと；足の横振れを抑制するスタビライザーとを備え、前記スタビライザーは足の外側または内側から足の幅方向の中央に向かって延びる領域において前記アウターソールの第１上面と前記ミッドソールの第２下面との間で挟まれる基板部と、靴の側面に沿って前記基板部から上方に巻き上がる巻上部とが非発泡体の樹脂板で一体に形成されており、ここにおいて、前記アウターソールの第１上面は第１凹凸面を有し、前記第１凹凸面は足の幅方向に延びる複数の溝および突条が足の前後方向に交互に設けられて形成されており、前記ミッドソールの第２下面は第２凹凸面を有し、前記第２凹凸面は前記第１凹凸面に相当する真上の位置に、前記第１凹凸面に応じた凹凸を持っており、前記スタビライザーの基板部は、前記第１凹凸面および第２凹凸面に沿った波形に形成されている。
【００１８】
基板部から上方に巻き上がる巻上部は、横方向への踏み出し動作などにおいて、足が靴の中の本来の位置から内または外方向にはみ出すことや、足が靴に対して内または外に相対的に位置ズレすることを抑制する。すなわち、スタビライザーの巻上部は足の横振れを抑制する。
【００１９】
足の背屈に伴ってソールが屈曲する場合、アウターソールの第１下面が伸張し、かつ、ミッドソールの第２上面が縮む。一方、足の底屈に伴ってソールが屈曲する場合、アウターソールの第１下面が縮み、かつ、ミッドソールの第２上面が伸張する。前記アウターソールとミッドソールとの間に挟まれた基板部は、足の底屈や背屈に伴って若干伸張したり縮んだりする。
【００２０】
一方、スタビライザーは、足の横振れを防止する機能を発揮するものであるから、スタビライザーを構成する素材のヤング率は、ミッドソールやアウターソールのそれよりも大きい。そのため、硬いスタビライザーの基板部が平板状であると、伸縮しにくいので、ソールの屈曲し易さを阻害する。
これに対し、波形の基板部は、バネのように伸縮し易いので、ソールの屈曲し易さを向上させる。
【００２１】
このような伸縮し易い基板部は、足の幅方向の概ね全幅において波形に形成されるのが好ましい。
【００２２】
本発明の好ましい実施例では、前記基板部は前記アウターソールの前記溝に沿って配置された下板部と、前記アウターソールの前記突条に沿って配置された上板部と、前記下板部と上板部とを連ねる立上板部とが一体に成形されて前記第１凹凸面および第２凹凸面に沿った前記波形に形成されている。
【００２３】
この場合、更に好ましい実施例では、前記上板部の真上に配置された前記ミッドソールの部分の厚さは、前記下板部の真上に配置された前記ミッドソールの部分の厚さに比べ小さく、かつ、前記上板部の真下に配置された前記アウターソールの部分の厚さは、前記下板部の真下に配置された前記アウターソールの部分の厚さに比べ小さい。
【００２４】
この実施例の場合、ミッドソールの厚さが薄い部分とアウターソールの薄い部分とが重なるので、両者の薄い上板部において屈曲し易い。
【００２５】
本発明の別の好ましい実施例では、前記巻上部は足の前後方向の前端と、足の前後方向の後端と、前記前端と後端との間において上方に突出する頂部とを有し、少なくとも前記前端と後端との間において前記基板部が前記波形に形成されている。
【００２６】
本実施例では、巻上部の前端と後端の間において、波形の基板部に上方からの荷重が負荷されると、上板部が下方に向って撓むと共に変位する。上板部の下方への撓みは巻上部を上板部との接合部分で足の中央側に向って引き付ける。これにより、巻上部が足の中央に向って倒れるので、足の横振れが抑制される。
【００２７】
本発明の好ましい実施例では、前記巻上部は足の前後方向の前端と、足の前後方向の後端と、前記前端と後端との間において上方に突出する頂部とを有し、これにより、前記巻上部が前記頂部、前端および後端を連ねた略三角形状に形成され、少なくとも前記前端の近傍および前記後端の近傍に前記上板部が配置されている。
【００２８】
前記前端の近傍および後端の近傍の上板部は、前述のように撓むことで、巻上部の前記前端および後端を足の中央側に引き寄せる。前記前端および後端が中央側に引き寄せられると、三角形の頂点である頂部が中央側に向って引き寄せられる。
【００２９】
本発明の別のある靴は、横振れ抑制機能を備えた靴であって、着地時に接地する接地面を持つ第１下面と、前記第１下面とは逆の第１上面とを有するアウターソールと；前記アウターソールの上方に配置されると共に第２下面を有するミッドソールと；足の横振れを抑制するスタビライザーとを備え、前記スタビライザーは足の外側または内側から足の幅方向の中央に向かって延びる領域において前記アウターソールの第１上面と前記ミッドソールの第２下面との間で挟まれる基板部と、靴の側面に沿って前記基板部から上方に巻き上がる巻上部とが非発泡体の樹脂板で一体に形成されて、横断面において略Ｌ字状であり、ここにおいて、前記巻上部は足の前後方向の前端と、足の前後方向の後端と、前記前端と後端との間において上方に突出する頂部とを有し、これにより、前記巻上部が前記頂部、前端および後端を連ねた略三角形状に形成され、前記頂部の下方における前記巻上部において、上方に行くに従い足の幅方向の中央に向かうように傾斜した傾斜板部が前記巻上部に設けられている。
【００３０】
傾斜板部は、頂部の下方において、上方に行くに従い足の幅方向の中央に向かうように傾斜しているから、略三角形状の巻上部の頂部が倒れるのを支える。そのため、横振れを抑制し得る。
【００３１】
本発明の好ましい実施例では、前記傾斜板部は下方に行くに従い曲率が小さいテーパ円筒状に湾曲しており、前記テーパ円筒状の傾斜板部の頂点が前記頂部の概ね真下か、あるいは、前記頂部に位置している。
【００３２】
テーパ円筒状に形成された傾斜板部は、平板状のそれに比べ剛性が大きい。そのため、頂部に負荷が働いた際に頂部が倒れるのを支え易い。
【００３３】
この場合、更に好ましい実施例では、前記ミッドソールは足の側面に沿って上方に巻き上がる巻上部を有し、前記ミッドソールの巻上部は前記テーパ円筒状の傾斜板部に相当する位置に前記テーパ円筒状の傾斜板部に応じて膨らんだ膨出面を持つ。
【００３４】
テーパ円筒状の傾斜板部は、頂部に作用する外力に対し大きな曲げ剛性を発揮する一方で、変形する際には座屈するおそれがある。これに対し、ミッドソールの巻上部に膨出面を形成することにより、テーパ円筒状の傾斜板部の座屈が防止される。そのため、頂部を支える力が大きくなるから、横振れ抑制機能が著しく高くなる。
また、樹脂の発泡体からなるミッドソールは厚くなるが、傾斜部は薄いので、ソールの軽量化を妨げない。
【００３５】
本発明の更に別のある靴は、横振れ抑制機能を備えた靴であって、着地時に接地する接地面を持つ第１下面と、前記第１下面とは逆の第１上面とを有するアウターソールと；前記アウターソールの上方に配置されると共に第２下面を有するミッドソールと；前記ミッドソールの第２下面に沿って設けられ足の踏まず部を覆う強化プレートと；足の横振れを抑制するスタビライザーとを備え、前記スタビライザーは足の外側または内側から足の幅方向の中央に向かって延びる領域において前記アウターソールの第１上面と前記ミッドソールの第２下面との間で挟まれる基板部と、靴の側面に沿って前記基板部から上方に巻き上がる巻上部とが非発泡体の樹脂板で一体に形成されて、横断面において略Ｌ字状であり、ここにおいて、前記強化プレートは前記足の踏まず部から足の内側に沿って母指球に向って延び、前記スタビライザーの基板部は第５指の少なくとも基節骨の概ね全体を下方から覆うように足の外側に沿って延びていると共に前記踏まず部の一部を覆う後端部を有し、前記スタビライザーの基板部の後端部が前記踏まず部において前記強化プレートの一部に重なっている。
【００３６】
スタビライザーの基板部の後端部と強化プレートとは踏まず部において互いに一部が重なっているので、スタビライザーの直後方に応力が集中するのを防止できる。そのため、ソールの屈曲し易さの偏りを抑制できる。
【００３７】
この場合、強化プレートとスタビライザーとは、別々に形成される。たとえば、強化プレートはフィルムを所定形状に打ち抜かれて一次成形された後に、ミッドソールの第２下面に一体に二次成形され、スタビライザーは射出成形された後にミッドソールの第２下面に接着剤で接着される。射出成形に比べフィルムの成形はコストが安いので、コストアップを抑制し得る。
【実施例１】
【００３８】
以下、本発明の実施例１が図面に従って説明される。
全体構成：
図１Ａおよび図１Ｂに示すように、本横振れ抑制機能を備えた靴は、アウターソール１、ミッドソール２、スタビライザー３、アッパー６およびシューレース７を備えている。
【００３９】
図１Ｂに示すように、アウターソール１は、着地時に接地する接地面１５を備えている。アウターソール１は、前記接地面１５を持つ第１下面１ｄと、図２に示す前記第１下面１ｄとは逆の第１上面１ｕとを有している。アウターソール１は、接地による摩耗性に優れたゴムなどで形成されている。
【００４０】
ミッドソール２は、アウターソール１の上方に配置される。ミッドソール２は、アウターソール１に対面する第２下面２ｄ（図５）と、前記第２下面２ｄとは逆の第２上面２ｕとを有している。ミッドソール２は、ＥＶＡなどの樹脂の発泡体で形成され、着地の衝撃を緩和する。
【００４１】
前記スタビライザー３は、非発泡体の樹脂で一体に形成されており、基板部３０および巻上部３１を有している。図８Ｃに示すように、スタビライザー３は断面が略Ｌ字状に形成されている。
【００４２】
図３に示すように、基板部３０は、アウターソール１の第１上面１ｕとミッドソール２の第２下面２ｄとの間で挟まれる部分からなる。基板部３０は、足の外側ＯＵＴから足の幅方向Ｗの中央に向って延びる領域において、アウターソール１とミッドソール２との間に挟まれる。巻上部３１は、靴の側面に沿って基板部３０から上方に巻き上がる部分からなる。
【００４３】
図３のアウターソール１の第１上面１ｕには、図５の基板部３０の第３下面３ｄに嵌合する第１凹凸面１０が形成されている。前記第１凹凸面１０は、前記基板部３０の第３下面３ｄに隙間なく嵌合している必要はなく、２つの面１０，３ｄの間には若干の隙間があってもよい。
図５のミッドソール２の第２下面２ｄには、図３の基板部３０の第３上面３ｕに嵌合する第２凹凸面２０が形成されている。前記第２凹凸面２０は、前記基板部３０の第３上面３ｕに隙間なく嵌合している必要はなく、２つの面２０，３ｕの間には若干の隙間があってもよい。
【００４４】
図３に示すアウターソール１の第１凹凸面１０には、足の幅方向Ｗに延びる複数の第１溝１３i および第１突条１２i が、足の前後方向Ｌに交互に設けられて形成されている。
図５に示すミッドソール２の第２凹凸面２０は、図３に示すアウターソール１の第１凹凸面１０に相当する真上の位置に、前記第１凹凸面１０に対応する凹凸を有している。すなわち、図５の第２凹凸面２０には、足の幅方向Ｗに延びる複数の第２溝２３i および第２突条２２i が、足の前後方向Ｌに交互に設けられて形成されている。
【００４５】
スタビライザー３：
基板部３０；
図８Ａに示すように、スタビライザー３の基板部３０は、前記巻上部３１の前端３ｆと後端３ｂとの間において、アウターソール１の第１凹凸面１０およびミッドソール２の第２凹凸面２０に沿った波形に形成されている。
【００４６】
図３に示す前記基板部３０は、アウターソール１の第１溝１３i に沿って配置された下板部３３i と、アウターソール１の第１突条１２i に沿って配置された上板部３２i とを備えている。各上板部３２i は各下板部３３i と３３i+1 との間に配置される。各下板部３３i または３３i+1 と各上板部３２i とは、各下板部３３i から各上板部３２i に向って斜めに立ち上がる立上部３４を介して互いに連なっている。両端の上板部３２3 ，３２0 は、スタビライザー３の巻上部３１の前端３ｆの近傍および後端３ｂの近傍にそれぞれ配置されている。
図３においては、各第１溝１３i および各下板部３３i の部位に網点が施されている。
【００４７】
アウターソール１の第１突条１２i および第１溝１３i は、スタビライザー３の前記上板部３２i および下板部３３i に沿って形成されている。図４Ａに示すように、アウターソール１の第１溝１３i にスタビライザー３の下板部３３i が嵌まり込むと共に、アウターソール１の第１突条１２i にスタビライザー３の上板部３２i が密着し、スタビライザー３とアウターソール１とが互いに接着剤で接着されて固定される。スタビライザー３の後端の上板部３２0 は、アウターソール１の踏まず部前端部１６に密着する。
【００４８】
一方、図５に示すミッドソール２の第２溝２２i および第２突条２３i は、スタビライザー３の前記上板部３２i および下板部３３i に沿って形成されている。図５においては、各第２溝２２i および各上板部３２i の部位に網点が施されている。図６に示すように、ミッドソール２の第２溝２２i にスタビライザー３の上板部３２i が嵌まり込むと共に、ミッドソール２の第２突条２３i にスタビライザー３の下板部３３i が密着し、スタビライザー３とミッドソール２とが互いに接着剤で接着されて固定される。スタビライザー３の上板部３２0 は、ミッドソール２の踏まず部前端部２６に密着する。
【００４９】
図４Ａに示すように、スタビライザー３の基板部３０の第３下面３ｄ（図５）がアウターソール１の第１凹凸面１０に嵌り込む。一方、図６に示すように、前記基板部３０の第３上面３ｕ（図３）がミッドソール２の第２凹凸面２０に嵌まり込む。すなわち、図４Ｂに示すように、スタビライザー３はアウターソール１とミッドソール２との間に嵌め込まれる。
【００５０】
屈曲性；
図８Ａに示すスタビライザー３の基板部３０は、前述したように、上板部３２i および下板部３３i によって波形に形成されている。そのため、たとえば、上方からの荷重が負荷されると、図８Ｂに示すように、上板部３２i が下方に向って撓むと共に変位する。かかる変位により、立上部３４の傾斜角度が変化して、基板部３０の長さが、図８Ａに示す長さＬ１から、図８Ｂに示す長さＬ２まで延びる。
したがって、足の底屈や背屈に伴い、波形の基板部３０がバネのように伸縮することにより、ソール１，２の屈曲し易さが向上する。
【００５１】
ここで、スタビライザー３の上板部３２i の真上に配置されたミッドソール２の部分の厚さは、下板部３３i の真上に配置されたミッドソール２の厚さに比べて小さく設定されている。一方、前記上板部３２i の真下に配置されたアウターソール１の部分の厚さは、下板部３３i の真下に配置されたアウターソール１の部分の厚さに比べて小さく設定されている。
このように、ミッドソール２の厚さの薄い部分とアウターソール１の厚さの薄い部分とが重なっているので、両者１，２の薄い部分が重なる上板部３２i において屈曲し易くなる。
【００５２】
図３に示すように、スタビライザー３の前方の２ヵ所の下板部３３2 ，３３3 には、切り欠き３５が設けられている。そのため、足の底屈や背屈に伴い、前記切り欠き３５において、ソール１，２の屈曲し易さを向上させることができる。このように、本実施例では上板部３２i および下板部３３i の双方において屈曲し易くなっている。
【００５３】
巻上部３１；
スタビライザー３の巻上部３１は、足の前後方向Ｌの前端３ｆと後端３ｂとの間において上方に突出する頂部４０を備えている。スタビライザー３の巻上部３１は、前記頂部４０、前端３ｆおよび後端３ｂを連ねた略三角形状に形成されている。
図９に示すように、前記巻上部３１の前端３ｆおよび後端３ｂの位置は、頂部４０の位置よりも足の幅方向Ｗの中央側に配置されている。
【００５４】
図５に示すように、スタビライザー３の巻上部３１において、前記頂部４０と前端３ｆとを連ねた第１斜辺部４１には、該第１斜辺部４１に沿った第１強化突条４３が形成されている。一方、前記頂部４０と後端３ｂとを連ねた第２斜辺部４２には、該第２斜辺部４２に沿った第２強化突条４４が形成されている。第１強化突条４３および第２強化突条４４は、巻上部３１の頂部４０において互いに接続され、１本の突条として形成されている。
【００５５】
図１Ａに示すように、スタビライザー３の巻上部３１は、アウターソール１と、ミッドソール２およびアッパー６との間に接着剤を介して接着され、固定される。なお、巻上部３１の頂部４０はアウターソール１およびミッドソール２の間から突出している。
なお、図５に示すように、スタビライザー３の基板部３０および巻上部３１には、アウターソール１に穿孔された係合孔１７に係合する係合突部３７が形成されている。
【００５６】
図７Ａに示すように、スタビライザー３の基板部３０は、足の第５指ｆ５の中足骨Ｃ５の骨頭Ｃ５ｆおよび基節骨Ｂ５の概ね全体を下方から覆っている。一方、図７Ｂに示すように、前記巻上部３１は、足の第５指ｆ５の中足骨骨頭Ｃ５ｆを足の外側から覆っている。
【００５７】
横振れの抑制；
スタビライザー３は、アウターソール１やミッドソール２よりも硬い（ヤング率および／または硬度の大きい）非発泡体の樹脂で一体に形成されている。そのため、基板部３０から上方に巻き上がる巻上部３１によって、横方向の踏み出し動作などにおいて、足が靴の中の本来の位置から内または外方向にはみ出すことや、足が靴に対して内または外に相対的に位置ずれすることを抑制することができる。したがって、スタビライザー３の巻上部３１は、足の横振れを抑制することができる。
【００５８】
図１Ａに示すように、スタビライザー３の巻上部３１の突出部分４９は、アッパー６の外側面に接着されている。このスタビライザー３の突出部分４９はアッパー６を介して、シューレース７によって、足の外形に沿って引き上げられる。そのため、スタビライザー３の巻上部３１が足に引き付けられるので、足が靴に対して相対的に位置ずれするのが防止されて、より一層、足の横振れを抑制することができる。
【００５９】
図９に示すように、スタビライザー３の基板部３０は、前述のように、上方からの荷重が負荷されると下方に向って撓むと共に変位する。上板部３２i の下方への撓みは、巻上部３１を上板部３２i との接合部分で足の中央側に向って引き付ける。これにより、二点鎖線で示すように、巻上部３１が足の中央に向って倒れるので、足の横振れが抑制される。
【００６０】
図８Ａに示すスタビライザー３の基板部３０の上板部３２3 ，３２0 は、上方からの荷重により前述のように変位することで、巻上部３１の前端３ｆおよび後端３ｂを足の中央側に引き寄せる。そのため、巻上部３１の三角形の頂点である頂部４０が中央側に向って引き寄せられる。したがって、足の横振れが抑制される。
【００６１】
傾斜板部４５i ；
図５に示すように、スタビライザー３の巻上部３１には、複数個の傾斜板部４５i が設けられている。各傾斜板部４５i は基板部３０の各下板部３３i から滑らかに上方に巻き上がっている。図３に示すように、前記傾斜板部４５i は、下方に行くに従い曲率が小さいテーパ円筒状に形成されている。図８Ｃに示すように、傾斜板部４５i は、上方に行くに従い足の幅方向Ｗの中央に向かうように傾斜している。
【００６２】
このように、傾斜板部４５i は、上方に行くに従い足の幅方向Ｗの中央に向かうように傾斜しているから、巻上部３１が足の幅方向Ｗの外側ＯＵＴ方向に向って倒れるのを支える。そのため、横振れを抑制し得る。
また、テーパ円筒状に形成された傾斜板部４５i は、平板状のそれに比べ剛性が大きい。そのため、巻上部３１の頂部４０に負荷が働いた際に頂部４０が倒れるのを支え易い。  
【００６３】
特に、図５に示すように、前記複数の傾斜板部４５i のうち、概ね中央に位置する傾斜板部４５2 が、他の傾斜板部４５i に比べ比較的大きく、かつ、テーパ円筒状の頂点４６が巻上部３１の頂部４０の概ね真下に位置しているので、横振れ時のモーメントが大きい頂部４０が倒れるのを支えることができる。
【００６４】
膨出面２５i ；
図２に示すように、ミッドソール２は、足の側面に沿って上方に巻き上がる巻上部２１を有している。前記巻上部２１には、前記スタビライザー３の傾斜板部４５i に相当する位置に、テーパ円筒状の傾斜板部４５i に応じて膨らんだ膨出面２５i が形成されている。
【００６５】
ここで、テーパ円筒状の前記傾斜板部４５i は、巻上部３１の頂部４０に作用する外力に対し大きな曲げ剛性を発揮する一方で、変形する際には座屈するおそれがある。これに対し、ミッドソール２の巻上部２１に膨出面２５i を形成することにより、テーパ円筒状の傾斜板部４５i の座屈を防止する。そのため、前記頂部４０を支える力が大きくなるから、横振れ抑制機能が著しく高くなる。
【００６６】
図７Ａおよび図８Ｃにおいて、ミッドソール２の幅方向Ｗの外側部分２Ｈの網点を施した領域における主たる硬度は、ミッドソール２の内側および中心部分２Ｓの領域における主たる硬度よりもＪＩＳＣ硬度で５度〜１５度大きく設定してもよい。たとえば、ミッドソール２の内側および中心部分２Ｓの硬度範囲はＪＩＳＣ硬度で５０度以上６０度未満であり、外側部分２Ｈの硬度範囲はＪＩＳＣ硬度で６０度以上７０度未満であってもよい。
このように、ミッドソール２の外側部分２Ｈの硬度を大きくすることにより、足の外側ＯＵＴにおける沈み込みが防止されると共に、ミッドソール２の巻上部２１（図８Ｃ）が倒れにくくなる。そのため、横振れ抑制機能が高くなる。
【００６７】
なお、図８Ｃでは硬度の異なる外側部分２Ｈと、内側および中心部分２Ｓとの境界を鉛直に設定しているが、前記境界をミッドソール２の巻上部２１の内面に滑らかに連なるように傾斜させてもよい。
【実施例２】
【００６８】
次に、実施例２が図１０にしたがって説明される。なお、以下の各実施例において、実施例１と同一部分には同一符号を付して、その説明を省略する。
【００６９】
図１０に示すように、ミッドソール２には、いわゆるシャンクの機能を有する強化プレート５が固着されている。強化プレート５は、足の踏まず部２２から足の内側ＩＮに沿って、母指球Ｑに向って延びていると共に、前記踏まず部２２から足の踵２３の一部を覆う位置まで後方に延びている。強化プレート５の幅方向Ｗの概ね中央には、足の前後方向Ｌにリブ５１が形成されている。
【００７０】
一方、スタビライザー３は第５指ｆ５の基節骨Ｂ５の概ね全体を下方から覆うように足の外側ＯＵＴに沿って延びていると共に、前記踏まず部２２の一部を覆う後端部３６を有している。スタビライザー３の後端部３６は、前記踏まず部２２の前端部において、強化プレート５の一部に重なっている。
したがって、スタビライザー３と強化プレート５により、略Ｙ字型の形状が形成されている。
【００７１】
このように、スタビライザー３の後端部３６と、強化プレート５とが、踏まず部２２において互いに一部が重なっているので、スタビライザー３の直後方に応力が集中するのを防止できる。そのため、ソールの屈曲し易さの偏りを抑制できる。
【００７２】
強化プレート５は、たとえば、フィルムを所定形状に打ち抜いて、一次成形された後に、ミッドソール２の第２下面２ｄに一体に二次成形される。一方、スタビライザー３は、射出成形された後に、ミッドソール２の第２下面２ｄに接着剤で接着される。射出成形に比べ、フィルムの成形はコストが安いので、比較的大きな面積を有する強化プレート５を設けても、コストアップを抑制することができる。
【実施例３】
【００７３】
次に、実施例３が図１１にしたがって説明される。本実施例３では、前述の実施例１と異なる部分を主に説明する。
図１１に示すように、スタビライザー３Ａの後端部３６は、中足骨Ｃ５の底面の概ね全体を覆うように延長されている。そのため、スタビライザー３Ａの直後方に応力が集中するのを防止できる。
なお、図５に示す実施例１のスタビライザー３では、下板部３３i に括れが形成されていたが、図１１に示すように、本実施例３のスタビライザー３Ａでは、下板部３３i に括れが形成されていない。この場合、図３の上板部３２i 、第１突条１２i および第１溝１３i の前後方向の幅は概ね一定となる。
スタビライザーの基板部は、アウターソールとミッドソールに挟まれ全く隙間がない状態で接着されている必要はなく、そこに多少の空間が設けられた構造であってもよく、この場合、軽量化の効果が得られる。具体例としては、アウターソールもしくはミッドソールのいずれかをフラットにした場合や両方ともフラットにした場合も本発明に含まれる。
【００７４】
以上のとおり、図面を参照しながら好適な実施例を説明したが、当業者であれば、本明細書を見て、自明な範囲で種々の変更および修正を容易に想定するであろう。
たとえば、スタビライザーの巻上部は後足部の内側や外側に設けられてもよい。たとえばランニングシューズにおいては、踵部内側にスタビライザーを設置する事によって、オーバープロネーションを防止する効果を得ることができる。また、同巻上部は外側および内側の双方に設けられてもよい。
また、波形の基板部は、断面が正弦曲線のような形状であってもよい。
さらに、スタビライザーの傾斜板部は、必ずしも複数個設けられる必要はない。
したがって、そのような変更および修正は、請求の範囲から定まる本発明の範囲内のものと解釈される。
【産業上の利用可能性】
【００７５】
本発明は、バスケット、ハンドボール、バレーなどのコート競技の他に、卓球やエアロビクス、ランニング、ウォーキングなどの様々の用途のシューズに適用することができる。
【図面の簡単な説明】
【００７６】
【図１】図１Ａは本発明の実施例１に係る左足用の靴を斜め外側から見た概略斜視図、図１Ｂは同斜め底面側から見た概略斜視図である。
【図２】図２は靴底を斜め外側から見た分解斜視図である。
【図３】図３は同靴底の主に前足部および中足部を斜め内側から見た分解斜視図である。
【図４】図４Ａは同靴底の主に前足部を斜め内側から見た分解斜視図、図４Ｂは同組立後の分解斜視図である。
【図５】図５は同底面側から見た分解斜視図である。
【図６】図６はミッドソールにスタビライザーを接合した同靴底の分解斜視図である。
【図７】図７Ａはスタビライザーと足の骨格との位置の関係を示す平面図、図７Ｂは同側面図である。
【図８】図８Ａは靴底のスタビライザーにおける縦断面図、図８Ｂは上下に圧縮された同靴底の縦断面図、図８Ｃは横断面図である。
【図９】図９は足の後方から見たスタビライザーの斜視図である。
【図１０】図１０は実施例２に係るミッドソールにスタビライザーを装着した（アウターソールを取り除いた）状態の靴底の底面図である。
【図１１】図１１は実施例３に係るミッドソールおよびスタビライザーの底面図である。
【符号の説明】
【００７７】
１：アウターソール
１ｄ：第１下面
１ｕ：第１上面
１０：第１凹凸面
１２i ：第１突条
１３i ：第１溝
１５：接地面
２：ミッドソール
２ｄ：第２下面
２０：第２凹凸面
２２：踏まず部
２３：踵
２５i ：膨出面
３：スタビライザー
３ｂ：後端
３ｆ：前端
３０：基板部
３１：巻上部
３２i ：上板部
３３i ：下板部
３４：立上部
３６：後端部
４０：頂部
４１：第１斜辺部
４２：第２斜辺部
４３：第１強化突条
４４：第２強化突条
４５i ：傾斜板部
４６：頂点
５：強化プレート
ｆ５：第５指
Ｂ５：第５指の基節骨
Ｃ５ｆ：第５指の中足骨骨頭
ＩＮ：足の内側
ＯＵＴ：足の外側
Ｑ：母指球
Ｗ：足の幅方向
【図１】
2007135824.tif 000003
【図２】
2007135824.tif 000004
【図３】
2007135824.tif 000005
【図４】
2007135824.tif 000006
【図５】
2007135824.tif 000007
【図６】
2007135824.tif 000008
【図７】
2007135824.tif 000009
【図８】
2007135824.tif 000010
【図９】
2007135824.tif 000011
【図１０】
2007135824.tif 000012
【図１１】
2007135824.tif 000013